【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
約４０〜２０部の溶解酸又は酸形成性のほぼ中性ｐＨの窒素植物栄養素化合物の混合物と、約１部〜約５部の不溶性又は弱可溶性の高ｐＨのカルシウム形成性植物栄養素化合物の混合物とを含み、
該溶解酸は、硝酸、リン酸、弱酸性の炭酸、又はそれらの組合せを含み、該酸形成性の窒素植物栄養素化合物は、溶液中に存在しており、硝酸アンモニウム、硝酸カルシウム、尿素硝酸アンモニウム、硝酸アンモニウムカルシウム、リン酸アンモニウム、高ｐＨアンモニア水、又はそれらの組合せを含み、
該不溶性又は弱可溶性の高ｐＨのカルシウム形成性植物栄養素化合物は、溶液中に存在しており、カルシウムシアナミド、石膏、炭酸カルシウム、塩化カルシウム又はそれらの組合せを含む、液状組成物。
【請求項２】
前記溶解酸又は酸形成性のほぼ中性ｐＨの窒素植物栄養素化合物は、尿素硝酸アンモニウム（ＵＡＮ）を含み、該ＵＡＮ溶液は、約５０％の尿素窒素、２５％のアンモニア窒素、及び約２５％の硝酸窒素を含み、前記不溶性又は弱可溶性の高ｐＨのカルシウム形成性植物栄養素化合物は、Ｈ２Ｏを含む溶液中に存在しており、カルシウムシアナミドを含有している、請求項１に記載の液状組成物。
【請求項３】
前記組成物は、約０．２５重量パーセント〜約１０重量パーセントのカルシウムシアナミド、好ましくは約７重量パーセント〜約８重量パーセントのカルシウムシアナミドを含む、請求項１又は２に記載の液状組成物。
【請求項４】
前記ほぼ中性ｐＨの窒素植物栄養素化合物の混合物は、約ｐＨ７．８及び７．９を含む、請求項１から３のいずれか一項に記載の液状組成物。
【請求項５】
前記液状組成物は、約６０メッシュ〜約１００メッシュのスクリーンサイズを通過する粒子、好ましくは約８０メッシュ〜約１００メッシュのスクリーンサイズを通過する粒子を含む、請求項１から４のいずれか一項に記載の液状組成物。
【請求項６】
前記液状混合物中に存在しているＨ２Ｏは、前記混合物中の前記不溶性又は弱可溶性の高ｐＨのカルシウム形成性植物栄養素化合物の１４倍より少ない質量を含む、請求項１から５のいずれか一項に記載の液状組成物。
【請求項７】
前記液状混合物中に存在しているＨ２Ｏは、前記混合物中の前記不溶性又は弱可溶性の高ｐＨのカルシウム形成性植物栄養素化合物の少なくとも１４倍の質量を含む、請求項１から５のいずれか一項に記載の液状組成物。
【請求項８】
請求項１から５のいずれか一項に記載の液状組成物と排泄物とを含み、前記排泄物は、好ましくは液化有機質肥料であり、より好ましくはウシの(dairy) 液化有機質肥料である、混合組成物。
【請求項９】
前記混合物は、約０．１パーセントのカルシウムシアナミド〜約２５パーセントのカルシウムシアナミド、約２５パーセント〜約５０パーセントのＵＡＮ溶液、及び約７４．９９パーセント〜約２４．９９パーセントの液状排泄物を含む、請求項８に記載の混合組成物。
【請求項１０】
前記混合物は、約２５パーセントのカルシウムシアナミド、２５パーセント〜約５０パーセントのＵＡＮ溶液、及び約５０パーセント〜約２５パーセントの排泄物を含む、請求項８に記載の混合組成物。
【請求項１１】
前記混合物に対して、少なくとも１つの非窒素物質を含むさらに含み、前記非窒素物質は、好ましくは植物栄養素であり、より好ましくは、リン、カリウム、鉄、銅、亜鉛、マンガン、ホウ素、マグネシウム、モリブデン、硫黄、ニッケル、及びそれらの混合物からなる群から選択される、請求項８から１０のいずれか一項に記載の混合組成物。
【請求項１２】
電解質懸濁剤をさらに含み、前記電解質懸濁剤は、好ましくは、アニリン若しくはニグロシン、又はカーボンブラック陰イオン性物質、或いはケイ素、鉄、アルミニウム、炭素又はそれらの組合せなどのイオン化した金属元素を含む、請求項８から１１のいずれか一項に記載の混合組成物。
【請求項１３】
有効量の請求項１〜５のいずれか一項に記載の液状組成物を排泄物に添加するステップを含み、
該液状組成物中に存在しているＨ２Ｏは、不溶性又は弱可溶性の高ｐＨのカルシウム形成性植物栄養素化合物の少なくとも１４倍の質量を含み、これにより混合組成物を形成し、排泄物を処理する、排泄物の処理方法。
【請求項１４】
前記方法は、大気ＣＯ２の存在下で行われる、請求項１３に記載の方法。
【請求項１５】
前記排泄物が、液化有機肥料であり、好ましくはウシの (dairy)液化有機肥料である、請求項１３又は１４に記載の方法。
【請求項１６】
少なくとも１つの非窒素物質を前記組成物に添加するステップをさらに含み、前記非窒素物質は、好ましくは、植物栄養素であり、より好ましくは、リン、カリウム、鉄、銅、亜鉛、マンガン、マグネシウム、ニッケル、ホウ素、マグネシウム、モリブデン、硫黄、ニッケル、及びそれらの混合物からなる群から選択される、請求項１３から１５のいずれか一項に記載の方法。
【請求項１７】
電解質懸濁剤を前記組成物に添加するステップをさらに含み、前記電解質懸濁剤が、イオン化アニリン若しくはニグロシン、又はカーボンブラック陰イオン性物質、或いはケイ素、鉄、アルミニウム、炭素、マグネシウム又はそれらの組合せなどのイオン化した金属元素である、請求項１３から１６のいずれか一項に記載の方法。
【請求項１８】
前記液状組成物を噴霧により排泄物に施用するステップをさらに含む、請求項１３から１７のいずれか一項に記載の方法。
【請求項１９】
請求項７に記載の液状組成物の有効量を、植付け前、植付けの間及び／又は植付け後に土壌に施用し、それにより植物生長を増強するステップを含む、植物生長の増強方法。
【請求項２０】
前記有効量を施用するステップは、噴霧、土壌シャンク又は散布器、又は点滴灌漑により前記組成物を施用するステップを含む、請求項１９に記載の方法。
【請求項２１】
約４０〜２０部の溶解酸又は酸形成性のほぼ中性ｐＨの窒素植物栄養素化合物の混合物を、約１部〜約５部の不溶性又は弱可溶性の高ｐＨのカルシウム形成性植物栄養素化合物の混合物に混合するステップを含み、
該溶解酸は、硝酸、リン酸、弱酸性の炭酸、又はそれらの組合せを含み、該酸形成性の窒素植物栄養素化合物は、溶液中に存在しており、硝酸アンモニウム、硝酸カルシウム、尿素硝酸アンモニウム、硝酸アンモニウムカルシウム、リン酸アンモニウム、高ｐＨアンモニア水、又はそれらの組合せを含み、
該不溶性又は弱可溶性の高ｐＨのカルシウム形成性植物栄養素は、溶液中に存在しており、カルシウムシアナミド、石膏、炭酸カルシウム、塩化カルシウム又はそれらの組合せを含み、これにより液状組成物を形成する、液状組成物の作製方法。
【請求項２２】
前記溶解酸又は酸形成性のほぼ中性ｐＨの窒素植物栄養素化合物は、尿素硝酸アンモニウム（ＵＡＮ）を含み、該ＵＡＮ溶液は、約３０％〜約３５％の尿素、約４０％〜約４５％の硝酸アンモニウムを含み、残余はＨ２Ｏであり、前記不溶性又は弱可溶性の高ｐＨのカルシウム形成性植物栄養素化合物は、Ｈ２Ｏを含む溶液中に存在しており、カルシウムシアナミドを含む、請求項２１に記載の方法。
【請求項２３】
前記液状混合物中に存在しているＨ２Ｏは、前記混合物中の前記不溶性又は弱可溶性の高ｐＨのカルシウム形成性植物栄養素化合物の１４倍より少ない質量を含む、請求項２１又は２２に記載の方法。
【請求項２４】
前記液状混合物中に存在しているＨ２Ｏは、前記混合物中の前記不溶性又は弱可溶性の高ｐＨのカルシウム形成性植物栄養素化合物の少なくとも１４倍の質量を含む、請求項２１又は２２に記載の方法。
【請求項２５】
前記混合ステップは、循環過程の存在下で行われ、前記循環過程は、好ましくはベンチュリ管バイパスシステムを含む、請求項２１から２４のいずれか一項に記載の方法。
【請求項２６】
少なくとも１つの非窒素物質を前記組成物に添加するステップをさらに含み、前記非窒素物質は、好ましくは植物栄養素であり、より好ましくは、リン、カリウム、鉄、銅、亜鉛、マンガン、ホウ素、マグネシウム、モリブデン、硫黄、マグネシウム、ニッケル、及びそれらの混合物からなる群から選択される、請求項２１から２５のいずれか一項に記載の方法。
【請求項２７】
開放容器中で行われる、請求項２１から２６のいずれか一項に記載の方法。
【請求項２８】
未密封容器中で行われる、請求項２１から２７のいずれか一項に記載の方法。